(57)【要約】【課題】本発明は、パネル孔への装着作業性を向上させることができるグロメットを提供すること【解決手段】グロメット１は、車体パネルＰに設けたパネル孔Ｈよりも小径に形成され、内部にワイヤーハーネスＷＨを挿通する筒状の小径筒部１０と、パネル孔Ｈに嵌合するようにパネル孔Ｈよりも大径に形成され、ワイヤーハーネスＷＨの長手方向Ｌに沿って小径筒部１０が貫通する底面部２１が備えられた有底筒状の大径筒部２０とが一体構成され、有底筒状の大径筒部２０において底面部２１から開口に向かう方向を先端側（＋Ｌ側）とし、底面部２１における一部分が、底面部２１における他の部分よりも変形性の高い薄肉部２１２で形成されるとともに、小径筒部１０に対して径方向に所定の間隔を隔てるように、大径筒部２０から先端側（＋Ｌ側）に向けて延出する延出部３０が設けられた【選択図】図１
2019209854.tif 000002
【特許請求の範囲】
【請求項１】
車体パネルに設けたパネル孔よりも小径に形成され、内部にワイヤーハーネスを挿通する筒状の小径筒部と、
前記パネル孔に嵌合するように前記パネル孔よりも大径に形成され、前記ワイヤーハーネスの挿通方向に沿って前記小径筒部が貫通する底面部が備えられた有底筒状の大径筒部とが一体構成され、
有底筒状の前記大径筒部において前記底面部から開口に向かう方向を開口側とし、
前記底面部における一部分が、前記底面部における他の部分よりも変形性の高い変形部で形成されるとともに、
前記小径筒部に対して径方向に所定の間隔を隔てるように、前記大径筒部から前記開口側に向けて延出する延出部が設けられた
グロメット。
【請求項２】
前記底面部が、前記径方向に沿って形成された
請求項１に記載のグロメット。
【請求項３】
前記変形部が、
前記底面部を貫通する前記小径筒部の外周を囲むように配置された
請求項１又は請求項２に記載のグロメット。
【請求項４】
前記変形部は、
前記挿通方向の厚みが、前記底面部における他の部分よりも薄い薄肉部で構成された
請求項１乃至請求項３のうちのいずれかに記載のグロメット。
【請求項５】
前記底面部は、前記薄肉部と、前記薄肉部の前記径方向の外側に設けられ、前記パネル孔と嵌合する外縁部とを有し、
前記薄肉部の前記挿通方向の厚さが、前記外縁部における前記挿通方向の厚さの６分の１以上、３分の１以下である
請求項４に記載のグロメット。
【請求項６】
前記大径筒部は、
前記変形部と、前記底面部の前記径方向の外側に設けられた外縁部とで構成された前記底面部と、
前記外縁部から前記開口側に突出しているとともに、前記開口側に向かうに伴い、前記挿通方向から視て前記変形部と重なる位置まで縮径する縮径部とを有し、
前記縮径部から前記延出部が延出している
請求項１乃至請求項４のうちのいずれかに記載のグロメット。
【請求項７】
前記小径筒部は、
前記底面部を貫通した貫通部位における前記径方向の厚みが、前記貫通部位よりも前記開口側における前記径方向の厚みよりも厚く構成された
請求項１乃至請求項６のうちのいずれかに記載のグロメット。
【請求項８】
前記延出部と前記小径筒部との間隔が、
所定の間隔で維持され、又は、前記開口側に向かうに伴い広がるように構成された
請求項１乃至請求項７のうちのいずれかに記載のグロメット。
【請求項９】
前記延出部が、前記小径筒部を挟んで２つ設けられた
請求項１乃至請求項８のうちのいずれかに記載のグロメット。
【請求項１０】
前記延出部の前記開口側に滑り止め手段が設けられた
請求項１乃至請求項９のうちのいずれかに記載のグロメット。
【請求項１１】
前記延出部は、
前記挿通方向から視て、前記底面部を貫通する前記小径筒部に沿った円弧状に形成された
請求項１乃至請求項１０のうちのいずれかに記載のグロメット。
【発明の詳細な説明】
【技術分野】
【０００１】
この発明は、例えば、車体パネルに設けられたパネル孔に挿通されるワイヤーハーネスを保護するグロメットに関する。
【背景技術】
【０００２】
例えば、高圧電線であるワイヤーハーネスを車両に配策する場合、車両のフロアパネルの床下に配線するとともに、ワイヤーハーネスの一端側をフロアパネルに設けられたパネル孔に挿通させてフロアパネル上に引き出し、車内側のバッテリ等と接続することがある。
【０００３】
このようにワイヤーハーネスをパネル孔に挿通させる場合、ワイヤーハーネスをグロメットに挿通させ、このグロメットをパネル孔に装着することで、ワイヤーハーネスをパネル孔に挿通させている。これにより、ワイヤーハーネスがパネル孔と干渉して損傷することを防止できるとともに、車内側への防水や防塵を図ることができる。
【０００４】
パネル孔に装着させるグロメットの一例として、車体パネルに設けられたパネル孔よりも小径で、ワイヤーハーネスを挿通できる小径筒部と、パネル孔よりも大径で、小径筒部が貫通する大径筒部とで構成され、大径筒部の外周面にはパネル孔に仮係止できる仮係止部が備えられたグロメットが特許文献１に開示されている。
【０００５】
この特許文献１に開示されているグロメットは、車外側からグロメットに挿通したワイヤーハーネスを車内側に挿通させ、車内側から小径筒部を引っ張り込むことでグロメット（大径筒部）をパネル孔に装着させることができる。このとき、仮係止部をパネル孔に仮係止させることで、車内側に引っ張り込む前にワイヤーハーネスの重みでグロメットが車外側に落ちることを防止でき、グロメットの装着作業性を向上させることができる。
【０００６】
しかしながら、作業者やグロメットのサイズによっては、小径の小径筒部を把持して車内側に引っ張り込むことが困難であることから、パネル孔にグロメットを装着させることが困難であり、引っ張りによるグロメットの装着作業性を向上させることが望まれていた。
【先行技術文献】
【特許文献】
【０００７】
【特許文献１】特開２０１６−１６２５２０号公報
【発明の概要】
【発明が解決しようとする課題】
【０００８】
この発明は、上述の問題に鑑み、パネル孔への装着作業性を向上させることができるグロメットを提供することを目的とする。
【課題を解決するための手段】
【０００９】
この発明は、車体パネルに設けたパネル孔よりも小径に形成され、内部にワイヤーハーネスを挿通する筒状の小径筒部と、前記パネル孔に嵌合するように前記パネル孔よりも大径に形成され、前記ワイヤーハーネスの挿通方向に沿って前記小径筒部が貫通する底面部が備えられた有底筒状の大径筒部とが一体構成され、有底筒状の前記大径筒部において前記底面部から開口に向かう方向を開口側とし、前記底面部における一部分が、前記底面部における他の部分よりも変形性の高い変形部で形成されるとともに、前記小径筒部に対して径方向に所定の間隔を隔てるように、前記大径筒部から前記開口側に向けて延出する延出部が設けられたグロメットであることを特徴とする。
【００１０】
前記底面部は、平面で構成されている場合や曲面で構成されている場合を含む。
前記変形部は、例えば、前記底面部における他の部分と形状が異なるために変形性が高い場合や、材質が異なるため変形性が高い場合などを含む。具体的には、前記底面部における他の部分に比べて前記挿通方向に沿った厚みが薄くなるように形成されている場合や、前記底面部の前記開口側に溝を設けるなど前記底面部が変形性の高い形状に形成されている場合、前記底面部における他の部分よりも剛性が低い部材で構成されている場合、前記底面部における他の部分よりも剛性が高い部材で構成しつつ、形状により変形性を向上させた場合などを含む。
【００１１】
前記延出部は、１又は複数設けられている場合を含む。また、前記延出部は、挿通方向から視て前記小径筒部の周方向に沿って部分的又は全周にわたって円弧状に形成されている場合や、挿通方向と直交する直線状に形成されている場合を含む。
【００１２】
上述の前記大径筒部から前記開口側に向けて延出するとは、前記変形部や、前記変形部の外縁部、前記底面部における前記変形部以外の部位、前記大径筒部における前記底面部以外の部位などから延出する場合を含む。
【００１３】
上述の開口側に向けて延出するとは、前記延出部が前記小径筒部と平行に延出する場合や、前記径方向の外側に向けて広がるように延出する場合、前記径方向の内側に向けて延出する場合を含む。
【００１４】
この発明により、前記大径筒部をパネル孔に装着させる装着作業性を向上させることができる。  
詳述すると、前記小径筒部に対して前記径方向に所定の間隔を隔てるように、前記大径筒部から前記開口側に向けて延出する延出部が設けられることにより、前記延出部と前記小径筒部との間に指などを入れて前記延出部を把持することができる。これにより、径の小さい前記小径筒部を把持して引っ張る場合に比べて、前記大径筒部を前記開口側に引っ張りやすく、前記大径筒部をパネル孔に装着させる装着作業性を向上させることができる。
【００１５】
また、一般に前記パネル孔に前記大径筒部を装着させる作業は、前記パネル孔に前記大径筒部の一部を係止させ、係止させた箇所を支点として前記大径筒部を前記他方側に引っ張る作業を行っている。  
本発明において、前記パネル孔に前記大径筒部の一部を係止させ、係止させた箇所を支点として前記延出部を前記開口側に引っ張ることにより、前記変形部を前記開口側に湾曲するように変形させることができる。この変形部の変形により、前記大径筒部の径方向の外側を前記開口側に湾曲させることができ、前記大径筒部が前記挿通方向から視て縮径することとなる。したがって、前記大径筒部を前記パネル孔に容易に挿通させることができる。
【００１６】
このように、大径筒部と小径筒部とで構成されたグロメットにおいて、前記大径筒部を構成する前記底面部に、前記底面部における他の部位よりも変形性の高い変形部が形成されるとともに、前記径方向に対して前記小径筒部と所定の間隔を隔てるように、前記大径筒部から前記開口側に前記延出部を延出させることにより、前記パネル孔に前記大径筒部を装着する装着作業性を向上させるとともに、容易に前記大径筒部を前記パネル孔に装着することができる。
【００１７】
さらにまた、前記大径筒部が前記パネル孔に取り付けられた状態において、前記小径筒部に挿通させた前記ワイヤーハーネスが前記小径筒部の内周面に当たった場合でも、前記変形部が衝撃を吸収する緩衝部として作用するため、前記小径筒部に対して意図せずに前記ワイヤーハーネスが当たるなどして、前記大径筒部が前記パネル孔から外れることを防止できる。
【００１８】
この発明の態様として、前記底面部が、前記径方向に沿って形成されてもよい。  
上述の前記底面部が、前記径方向に沿って形成されるとは、前記底面部における前記開口から視て前記底面部側が前記挿通方向と直交する前記径方向に沿った平面で形成されていることをさす。
【００１９】
この発明により、前記グロメットを前記パネル孔に装着させた状態において、前記底面部が突っ張りとして作用することとなる。したがって、前記大径筒部に外部から意図しない外力が作用した場合であっても、前記大径筒部が前記パネル孔から外れることを防止できる。
【００２０】
またこの発明の態様として、前記変形部が、前記底面部を貫通する前記小径筒部の外周を囲むように配置されてもよい。  
上述の前記小径筒部の外周を囲むようにとは、前記小径筒部の外周全周を囲む場合の他、前記小径筒部の外周の大部分を囲む場合を含む。
【００２１】
この発明により、前記延出部を前記開口側に引っ張った場合に、前記大径筒部を確実に縮径させることができるため、前記大径筒部を容易かつ確実に前記パネル孔に挿通させ、装着させることができる。
【００２２】
またこの発明の態様として、前記変形部は、前記挿通方向の厚みが、前記底面部における他の部分よりも薄い薄肉部で構成されてもよい。  
この発明により、前記底面部における薄肉部と他の部分とを同一部材で構成しながら、前記薄肉部の変形性を向上させることができる。すなわち、複数の部材を用いることなく、前記底面部における一部分が変形性の高い大径筒部を容易に製造することができる。またこれにより、製造コストを削減することができる。
【００２３】
またこの発明の態様として、前記底面部は、前記薄肉部と、前記薄肉部の前記径方向の外側に設けられ、前記パネル孔と嵌合する外縁部とを有し、前記薄肉部の前記挿通方向の厚さが、前記外縁部における前記挿通方向の厚さの６分の１以上、３分の１以下であってもよい。
【００２４】
この発明により、前記大径筒部を前記パネル孔により容易に装着できるとともに、前記パネル孔に装着された前記大径筒部が意図せずに外れることを防止できる。
詳述すると、前記薄肉部の厚さが前記外縁部の６分の１未満である場合、前記薄肉部の変形性は向上するものの、前記薄肉部が容易に変形するため、意図しない外力が前記大径筒部に作用した場合に前記底面部が変形し、パネル孔に装着した前記大径筒部が意図せずに外れるおそれがある。
【００２５】
一方で、前記薄肉部の厚さが前記外縁部の厚さの３分の１よりも大きい場合には、前記薄肉部の変形性が低減し、前記薄肉部が容易に変形しなくなる。このため、前記延出部を前記開口側に引っ張った場合に、前記大径筒部が前記挿通方向から視て前記パネル孔に挿通できる程度まで縮径されず、前記パネル孔に装着するのが困難となる。
【００２６】
これに対して、前記薄肉部の厚さが前記外縁部の厚さの６分の１以上３分の１以下である場合には、前記薄肉部の変形性を十分に向上させるとともに、意図しない外力が前記大径筒部に作用した場合でも前記大径筒部の形状を維持することができる。したがって、前記大径筒部を前記パネル孔により容易に装着できるとともに、前記パネル孔に装着された前記大径筒部が意図せずに取り外されることを確実に防止できる。
【００２７】
またこの発明の態様として、前記大径筒部は、前記変形部と、前記底面部の前記径方向の外側に設けられた外縁部とで構成された前記底面部と、前記外縁部から前記開口側に突出しているとともに、前記開口側に向かうに伴い、前記挿通方向から視て前記変形部と重なる位置まで縮径する縮径部とを有し、前記縮径部から前記延出部が延出していてもよい。
【００２８】
この発明により、前記延出部に対して前記開口側への引張力を作用させた場合に、前記外縁部に対して前記径方向の内側に引張力が作用するため、前記外縁部の内側に設けられた前記変形部をより変形させることができる。これにより、前記底面部をより確実に縮径させることができ、前記大径筒部を前記パネル孔に装着させる装着作業性を向上させることができる。
【００２９】
またこの発明の態様として、前記小径筒部は、前記底面部を貫通した貫通部位における前記径方向の厚みが、前記貫通部位よりも開口側における前記径方向の厚みよりも厚く構成されてもよい。
【００３０】
上述の前記径方向の厚みが、前記貫通部位よりも開口側における前記径方向の厚みよりも厚く構成されとは、前記変形部を貫通する前記小径筒部の径方向の厚みが、前記開口側に向かうに伴い連続的に薄くなる構成や、段階的に薄くなる構成を含む。
【００３１】
この発明により、前記変形部を貫通する前記小径筒部における貫通部位の変形性を低下させることができる。これにより、前記小径筒部における前記貫通部位が変形せずに前記底面部を支持するため、前記変形部がより変形しやすくできる。したがって、前記大径筒部をより容易に前記パネル孔に装着することができる。
【００３２】
また、前記開口側の端部側の厚みが薄く構成されている前記小径筒部は、前記端部側が変形しやすく構成されているため、例えば前記小径筒部に挿通させるワイヤーハーネスが湾曲した場合などに、前記小径筒部が前記ワイヤーハーネスの湾曲を追従し、前記ワイヤーハーネスにより作用する外力を緩衝することができる。したがって、前記ワイヤーハーネスが前記小径筒部の内周面に当たった場合であっても前記変形部が変形することを防止できる。
【００３３】
またこの発明の態様として、前記延出部と前記小径筒部との間隔が、所定の間隔で維持され、又は、前記開口側に向かうに伴い広がるように構成されてもよい。  
この発明により、前記小径筒部と前記延出部とが所定の間隔以上に形成されるため、前記延出部を確実に把持することができるため、前記グロメットの装着作業をより容易かつ確実に行うことができる。
【００３４】
またこの発明の態様として、前記延出部が、前記小径筒部を挟んで２つ設けられてもよい。  
上述の前記小径筒部を挟んでとは、２つ設けられた前記延出部が、前記挿通方向に直交する直交面に対して面対称である場合や面対称でない場合も含むが、直交面に対して面対称である場合が好ましい。
【００３５】
この発明により、前記パネル孔に対する前記大径筒部の装着作業性をより向上させるとともに、前記大径筒部の装着を確実に行うことができる。  
詳述すると、前記大径筒部の一部を前記パネル孔に係止させて前記延出部を引っ張り込む場合に、前記延出部のうち係止させた側を把持して固定しながら、他方を引っ張って前記大径筒部を前記パネル孔に装着することができるため、確実に前記他方側を枢動させることができ、前記パネル孔に対する前記大径筒部の装着作業性をより向上させることができる。
【００３６】
また、前記延出部のうち係止させた側を把持して固定することができるため、グロメットの装着作業中において、前記大径筒部が前記挿通方向を回転軸として軸回転することを防止でき、前記パネル孔に対して確実に前記大径筒部を装着させることができる。
【００３７】
またこの発明の態様として、前記延出部の前記開口側に滑り止め手段が設けられてもよい。  
前記滑り止め手段は、例えば前記延出部の開口側の端部に前記径方向に突出部が形成されている場合や、前記延出部の開口側が凹凸形状で形成されている場合、前記延出部の開口側に滑り止め材が塗布されている場合などを含む。
【００３８】
この発明により、前記延出部をより確実に把持することができるため、前記延出部の前記挿通方向外側をより確実に前記開口側へ引っ張ることができる。したがって、前記パネル孔に前記グロメットを装着させる装着作業性を向上させることができる。
【００３９】
またこの発明の態様として、前記延出部は、前記挿通方向から視て、前記底面部を貫通する前記小径筒部に沿って円弧状に形成されてもよい。  
この発明により、例えば作業者の親指を前記小径筒部と前記延出部との間に挿入させるとともに、前記延出部の円弧に沿って作業者の人差し指を這わせることができるため、前記延出部を力強く把持することができる。これにより確実に前記延出部を前記開口側へ引っ張ることができ、より確実かつ容易にグロメットをパネル孔に装着させることができる。
【発明の効果】
【００４０】
この発明により、パネル孔への装着作業性を向上させることができるグロメットを提供することができる。
【図面の簡単な説明】
【００４１】
【図１】グロメットの概略斜視図。
【図２】グロメットの側面図。
【図３】グロメットの先端側の説明図。
【図４】グロメットの先端側の側方断面図。
【図５】グロペットの装着作業の説明図。
【図６】グロペットの装着作業の説明図。
【図７】他の実施形態のグロペットの側方断面図。
【図８】他の実施形態のグロペットの正面図。
【発明を実施するための形態】
【００４２】
この発明の一実施形態を以下図面と共に説明する。  
図１はグロメット１の概略斜視図を示し、図２はグロメット１の側面図を示し、図３はグロメット１の先端側の説明図を示し、図４はグロメット１の先端側の側方断面図を示す。
【００４３】
図３について詳述すると、図３はグロメット１の先端側を説明するための説明図であり、図３（ａ）はグロメット１の先端側の拡大側面図を示し、図３（ｂ）はグロメット１の先端側を長手方向に沿って視た正面図を示す。なお、図４は図３（ｂ）におけるＡ−Ａ矢視断面図を示す。
【００４４】
ここで、グロメット１の長手方向を長手方向Ｌとし、グロメット本体１１に対して先端筒部１２が配置されている方向（図１中の右側）を先端側（＋Ｌ方向）とし、グロメット本体１１に対して基端筒部１３が配置されている方向（図１中の左側）を基端側（−Ｌ方向側）とする。  
また長手方向Ｌに対して直交する平面において、小径筒部１０の中心軸に対して放射線状に広がる方向を径方向とし、径方向の外側を径外側、内側を径内側とする。
【００４５】
グロメット１は、ゴムまたは柔軟なエラストマーで形成された中空状の円筒体であり、ワイヤーハーネスＷＨを内部に挿通させて保護することができる。このグロメット１は、図１及び図２に示すように、ワイヤーハーネスＷＨを長手方向Ｌに沿って内部に挿通させる小径筒部１０と、後述する車体パネルＰを貫通させた円形状の貫通孔であるパネル孔Ｈに装着可能な大径筒部２０とで一体に構成されている。
【００４６】
小径筒部１０は、パネル孔Ｈよりも小径に形成された環状の底面で形成された長尺状の円筒体であり、長手方向Ｌに沿った円筒状のグロメット本体１１と、グロメット本体１１の先端側（＋Ｌ側）に配置されている先端筒部１２と、グロメット本体１１の基端側に配置されている基端筒部１３とで構成されている。
【００４７】
グロメット本体１１は底面が真円の環状である中空状の円筒体であり、内径がワイヤーハーネスＷＨの外径よりも大きく形成され、外径方向に隆起する隆起部１１１と、内径方向に凹んだ溝部１１２とが長手方向Ｌに沿って交互に配置された屈曲自在な蛇腹構造で構成されている。
【００４８】
なお、本実施形態においてグロメット本体１１は蛇腹構造としているが、必ずしも蛇腹構造である必要はなく、屈曲自在な円筒体であってもよいし、また蛇腹構造と円筒体とを組み合わせた構成でもよい。
【００４９】
先端筒部１２は、グロメット本体１１の先端側（＋Ｌ側）に設けられた円筒状の開口端部であり、後述する底面部２１の中心部分を貫通するとともに、長手方向Ｌに沿って先端側（＋Ｌ側）に突出している。
【００５０】
この先端筒部１２は、図４に示すように、先端側（＋Ｌ側）に向かうに伴い連続的に縮径する略円錐台状の円筒体で構成されている。換言すると、先端筒部１２は、先端側（＋Ｌ側）の厚みが先端筒部１２の基端側（−Ｌ側）の厚みよりも薄くなっている。
【００５１】
このため、先端筒部１２の先端側（＋Ｌ側）の変形性は先端筒部１２の基端側に比べて高く、先端筒部１２に挿通させたワイヤーハーネスＷＨの湾曲に追従して湾曲させるとともに、湾曲したワイヤーハーネスＷＨが先端筒部１２の内周面に当接した際の外力を吸収する緩衝部として作用する。
【００５２】
また、先端筒部１２の先端側（＋Ｌ側）の外周面には、小径筒部１０に挿通させたワイヤーハーネスＷＨを固定するための結束バンドを巻きつけるための先端側バンド装着部１２１が形成されている。  
この先端側バンド装着部１２１と対向する先端筒部１２の内周面には、径内方向に向けて突出した突出部１２２が設けられており、先端側バンド装着部１２１に巻きつけた結束バンドによりワイヤーハーネスＷＨをしっかりと固定することができる。
【００５３】
基端筒部１３は、グロメット本体１１の基端側（−Ｌ）に設けられた円筒状の開口端部であり、グロメット本体１１の内部に挿通させたワイヤーハーネスＷＨの基端部側を挿通可能に形成されている。なお、基端筒部１３の外周面には、グロメット本体１１に挿通させたワイヤーハーネスＷＨを固定するための結束バンドを巻きつけるための基端側バンド装着部１３１が形成されている。
【００５４】
大径筒部２０は、基端側に底面を有し、先端側（＋Ｌ側）が開口した有底の円筒体であり、図１乃至図４に示すように、長手方向Ｌから視てパネル孔Ｈよりも大径に形成された円形状の底面で形成された底面部２１と、底面部２１から先端側（＋Ｌ側）に縮径しながら突出する縮径部２２とで一体に構成されている。
【００５５】
底面部２１は、基端側（−Ｌ側）が径方向に沿って平面状に形成された真円状の底面を有する有底の円管体であり、図４に示すように、底面部２１の外周側を形成する外縁部２１１と、底面部２１の径方向内側に形成された薄肉部２１２とで一体構成されている。
【００５６】
外縁部２１１は、長手方向Ｌに沿って所定の厚みＬ１を有し、また径方向にも所定の厚みを有した円筒体であり、基端側は長手方向Ｌと直交して平面上に形成されている。また、外縁部２１１の先端側（＋Ｌ側）に形成された面には−Ｌ方向側に向けて窪んだ凹部２１１ａが円環状に形成されている。
【００５７】
厚みＬ１について詳述すると、外縁部２１１の厚みＬ１は、外縁部２１１の基端側（−Ｌ側）の底面から凹部２１１ａまでの長さをさす。なお、本実施形態において厚みＬ１は上述の定義に限定されず、例えば外縁部２１１における長手方向の厚みの平均値で定義づけしてもよい。
この外縁部２１１は、長手方向Ｌに沿って十分な厚みＬ１を有しているため、剛性が高く、容易に変形しないように形成されている。
【００５８】
底面部２１の径内側に形成された薄肉部２１２は、長手方向Ｌに対して直交する円形状の面であり、中央部分に先端筒部１２が貫通している。すなわち、薄肉部２１２は、中央部分を貫通する先端筒部１２の外周面の全周を囲繞するように配置されている。
【００５９】
また、薄肉部２１２における長手方向Ｌの沿った厚みＬ２は、薄肉部２１２において最も板厚の薄い部分での板厚であり、厚みＬ１の６分の１以上、３分の１以下である、５分の１となるように形成されている。すなわち、薄肉部２１２は、外縁部２１１に比べて長手方向Ｌに沿った板厚が薄い薄肉状に形成されている。
【００６０】
なお、図４に示すように、薄肉部２１２の先端側（＋Ｌ側）における径外側は、先端側（＋Ｌ側）に向かうに伴い厚みが徐々に厚くなっており、側方断面視において外縁部２１１の内周面と滑らかな円弧状を形成しながら連結している。
【００６１】
このように形成された底面部２１は、外縁部２１１の厚みＬ１が厚く形成されているとともに、薄肉部２１２の厚みＬ２が薄く形成されていることにより、外周面を形成する外縁部２１１の変形性が低く構成されているとともに、薄肉部２１２の変形性が高く構成されている。
【００６２】
また、上述したように、先端筒部１２の基端側、すなわち薄肉部２１２と先端筒部１２との連結部位における先端筒部１２の厚みが先端側（＋Ｌ側）と比べて厚いため、先端筒部１２の基端側（−Ｌ側）の変形性が低くなっている。すなわち、薄肉状に形成された薄肉部２１２は変形性の低い２つの部材（先端筒部１２及び外縁部２１１）に挟まれているため、後述する延出部３０に作用させた第二引張力Ｆ２により変形しやすく形成されている。
【００６３】
縮径部２２は、長手方向Ｌから視て環状に形成された、側面視略円錐台形状の円筒体であり、図３及び図４に示すように、外縁部２１１の径方向内側端部から先端側（＋Ｌ側）にわずかに突出する溝形成部２２１と、外周面が溝形成部２２１の先端から径方向外側に広がるように先端側（＋Ｌ側）に向けて延びる拡径部２２２と、拡径部２２２の先端から径方向内側に狭まるように先端側（＋Ｌ側）に向けて延びる先端縮径部２２３と構成されており、先端縮径部２２３の先端からは先端側（大径筒部２０における底面部２１から開口）に向けて延出部３０が延出している。
【００６４】
先端縮径部２２３は、図４に示すように、先端部分が長手方向Ｌから視て薄肉部２１２と重なる位置まで伸びており、底面部２１を貫通する先端筒部１２との間に、人の親指が挿入できる程度の隙間が形成されている。
【００６５】
このように形成された底面部２１と縮径部２２との間には、外縁部２１１と溝形成部２２１と拡径部２２２とで径方向内側に窪んだ真円状の溝で構成された嵌合部２３が形成されている。なお、嵌合部２３はパネル孔Ｈを形成するパネル孔形成枠Ｐ１の径を等しくなるように形成されており、グロメット１をパネル孔Ｈに装着させた状態においてパネル孔形成枠Ｐ１と嵌合することができる（図６（ｂ）参照）。
【００６６】
先端縮径部２２３の先端から延出する延出部３０は、長手方向Ｌに沿って延びる先端筒部１２と所定の間隔を隔てて設けられた略板状体であり、図３及び図４に示すように、先端縮径部２２３から延出する延出基部３１と、延出基部３１に外周面及び内周面からそれぞれ径方向に突出した滑り止め部３２とで構成されている。
【００６７】
延出基部３１は、図３（ａ）及び図３（ｂ）に示すように、先端縮径部２２３の径内側の端部から長手方向Ｌに沿って延出する板状体であって、長手方向Ｌから視て先端筒部１２の外周面に沿うような円弧状に形成されている。なお、円弧状に形成された延出基部３１の中心角αは先端筒部１２の中心軸を中心としてとして７０度となるように形成されている（図３（ｂ）参照）。
【００６８】
本実施形態において、延出基部３１における中心角は７０度としているが、延出基部３１における中心角は７０度に限定するわけではなく、グロメット１の装着作業を行う作業者が延出部３０を把持して＋Ｌ側に引っ張りやすい長さとなるような中心角が好ましく、具体的には４０〜９０度とすることが好ましく、また６０〜８０度がより好ましい。
【００６９】
滑り止め部３２は、延出基部３１の先端側（＋Ｌ側）に外周面及び内周面から、それぞれ径方向に突出した凸部であり、長手方向Ｌに沿って複数（本実施形態では３つ）設けられている。これにより、作業者が延出部３０を把持したときに、作業者の手が滑ることを防止でき、より効率よく装着作業を行うことができる。
【００７０】
このように構成された延出部３０は、図１〜図４に示すように、先端縮径部２２３の図中における上方及び下方から先端側（＋Ｌ側）に２つ延出している。すなわち、延出部３０は先端筒部１２を挟んで対向する位置にそれぞれ配置されている。
【００７１】
なお、本実施形態において、延出部３０は先端筒部１２の中心軸を回転軸として回転対称の位置に２つ設けられているが、必ずしも２つである必要はなく、例えば１つでもよければ、奇数個又は偶数個設けてもよい。  
また、複数の延出部３０を先端縮径部２２３から延出する場合にこれらの延出部３０は先端筒部１２の中心軸を回転軸として回転対称としてもよいし、非回転対称としてもよい。
【００７２】
次にグロメット１を車体パネルＰに設けたパネル孔Ｈに装着する装着作業について、図５及び図６に基づいて説明する。  
ここで図５及び図６は、車体パネルＰに設けられたパネル孔Ｈに対してグロメット１を装着する装着作業を、図３（ｂ）に対応する断面図を用いて説明する説明図を示す。
【００７３】
詳しくは、図５（ａ）は車体パネルＰに設けたパネル孔形成枠Ｐ１の側方断面図を示し、図５（ｂ）は小径筒部１０をパネル孔形成枠Ｐ１に一部分を引掛けた状態の側方断面図を示し、図６（ａ）は延出部３０を先端側（＋Ｌ側）に引っ張った状態の側方断面図を示し、図６（ｂ）は小径筒部１０がパネル孔形成枠Ｐ１に装着した状態の側方断面図を示す。なお、図５及び図６において、グロメット１に挿通させているワイヤーハーネスＷＨは破線で表す。
【００７４】
はじめに、図５（ａ）に示すように、ワイヤーハーネスＷＨを挿通させたグロメット１において延出部３０が図中における上下方向に配置されるように、ワイヤーハーネスＷＨの先端側（＋Ｌ側）を車体パネルＰに設けたパネル孔Ｈに挿通させる。
【００７５】
次に、図５（ｂ）に示すように、グロメット１の先端側（＋Ｌ側）をパネル孔Ｈに挿入させるとともに、図中の下方側の嵌合部２３をパネル孔形成枠Ｐ１に係止させる。  
そして、図６（ａ）に示すように、図中の下方側の延出部３０（延出部３０ｄ）を先端側（＋Ｌ側）に軽く引っ張るように把持して大径筒部２０を固定するとともに、上方側の延出部３０（延出部３０ｕ）を先端側（＋Ｌ側）に強く引っ張り、大径筒部２０をパネル孔Ｈに挿通させる。
【００７６】
詳述すると、延出部３０ｄを把持し、長手方向Ｌの先端側（＋Ｌ側）に向けて第一引張力Ｆ１を作用させることで、パネル孔形成枠Ｐ１に係止させた大径筒部２０が動かないように固定する。この状態で延出部３０ｕを把持して長手方向Ｌの先端側（＋Ｌ側）に向けて第二引張力Ｆ２を作用させることにより、延出部３０ｄとパネル孔形成枠Ｐ１との係止位置を支点として大径筒部２０を枢動させることができる。
【００７７】
このとき、先端縮径部２２３が径内側に向けて縮径しているため、延出部３０を先端側（＋Ｌ側）に引っ張ることにより、先端縮径部２２３が径内側に向けて入り込むこととなる。これにより、拡径部２２２が内側に引き込まれることとなる（図６（ａ）参照）。
【００７８】
また、先端筒部１２と外縁部２１１に挟まれた薄肉状の薄肉部２１２は、変形性が高いため、延出部３０に作用させた第二引張力Ｆ２が縮径部２２及び底面部２１を介して薄肉部２１２に伝達され、薄肉部２１２の径外側が先端側（＋Ｌ側）に引っ張られることとなる。また、先端筒部１２の基端側は変形性が低いため、薄肉部２１２の径内側は変形されない（図６（ａ）参照）。
【００７９】
なお、薄肉部２１２の先端側外側は、側方断面において円弧状に形成されているため、外縁部２１１を介して薄肉部２１２に確実かつ滑らかに第二引張力Ｆ２を伝達でき、第二引張力Ｆ２により薄肉部２１２と外縁部２１１との連結部位が破損することを防止できる。  
これにより薄肉部２１２の径外側が先端側（＋Ｌ側）に向けて湾曲し、外縁部２１１が内側に入り込むこととなり、長手方向Ｌから視て拡径部２２２の上方側が径内側に向けて縮径する。
【００８０】
このように、延出部３０ｕに第二引張力Ｆ２を作用させることにより、拡径部２２２が径内側に向けて縮径するため、縮径部２２がパネル孔Ｈに入り込みやすくなり、大径筒部２０をパネル孔Ｈに挿通させることができる。
【００８１】
そして、図６（ｂ）に示すように、延出部３０に作用させている第一引張力Ｆ１及び第二引張力Ｆ２を解除することにより、ゴムまたは柔軟なエラストマーで形成された大径筒部２０が元の形状に戻り、パネル孔形成枠Ｐ１が嵌合部２３に嵌合され、グロメット１（大径筒部２０）をパネル孔Ｈに嵌合させることができる。
【００８２】
このようにグロメット１は、車体パネルＰに設けたパネル孔Ｈよりも小径に形成され、内部にワイヤーハーネスＷＨを挿通する筒状の小径筒部１０と、パネル孔Ｈに嵌合するようにパネル孔Ｈよりも大径に形成され、ワイヤーハーネスＷＨの長手方向Ｌに沿って小径筒部１０が貫通する底面部２１が備えられた有底筒状の大径筒部２０とが一体構成され、有底筒状の大径筒部２０において底面部２１から開口に向かう方向を先端側（＋Ｌ側）とし、底面部２１における一部分が、底面部２１における他の部分よりも変形性の高い薄肉部２１２で形成されるとともに、小径筒部１０に対して径方向に所定の間隔を隔てるように、大径筒部２０から先端側（＋Ｌ側）に向けて延出する延出部３０が設けられたことにより、大径筒部２０をパネル孔Ｈに装着させる装着作業性を向上させることができる。
【００８３】
詳述すると、小径筒部１０に対して径方向に所定の間隔を隔てるように、大径筒部２０（先端縮径部２２３）から先端側（＋Ｌ側）に向けて延出する延出部３０が設けられることにより、延出部３０と小径筒部１０との間に指などを入れて延出部３０を把持することができる。これにより、径の小さい小径筒部１０を把持して引っ張る場合に比べて、大径筒部２０を先端側（＋Ｌ側）に引っ張りやすく、大径筒部２０をパネル孔Ｈに装着させる装着作業性を向上させることができる。
【００８４】
また、図５（ｂ）及び図６（ａ）に示すように、パネル孔Ｈに大径筒部２０の一部を係止させ、係止させた箇所を支点として延出部３０を先端側（＋Ｌ側）に引っ張ることにより薄肉部２１２を変形させることができる。この薄肉部２１２の変形により、大径筒部２０の径外側が先端側（＋Ｌ側）に湾曲させることができる。したがって、長手方向Ｌから視て大径筒部２０が縮径し、大径筒部２０をパネル孔Ｈに容易に挿通させることができる。
【００８５】
このように、小径筒部１０と大径筒部２０とで構成されたグロメット１は、大径筒部２０を構成する底面部２１に、大径筒部２０における他の部位よりも変形性の高い薄肉部２１２が形成されるとともに、径方向に対して小径筒部１０と所定の間隔を隔てるように、大径筒部２０から延出方向に延出部３０が延出させることにより、パネル孔Ｈに大径筒部２０を装着する装着作業性を向上させるとともに、容易に大径筒部２０をパネル孔Ｈに装着することができる。
【００８６】
さらにまた、大径筒部２０がパネル孔Ｈに取り付けられた状態において、小径筒部１０に挿通させたワイヤーハーネスＷＨが小径筒部１０の内周面に当たった場合でも、薄肉部２１２が衝撃を吸収する緩衝部として作用することとなるため、大径筒部２０がパネル孔Ｈから意図せずに外れることを防止できる。
【００８７】
また、底面部２１が、径方向に沿って形成されていることにより、グロメット１をパネル孔Ｈに装着させた状態において、底面部２１がパネル孔Ｈが形成された車体パネルＰに平行となり、底面部２１が突っ張りとして作用することとなる。したがって、大径筒部２０の剛性を向上させることができ、例えば大径筒部２０に外部から意図しない外力が作用した場合であっても、大径筒部２０がパネル孔Ｈから外れることを防止できる。
【００８８】
また、薄肉部２１２が、底面部２１を貫通する小径筒部１０の外周全周を囲むように配置されることにより、延出部３０を先端側（＋Ｌ側）に引っ張った場合に、大径筒部２０を確実に縮径させることができるため、大径筒部２０を容易かつ確実にパネル孔Ｈに挿通させて、装着させることができる。
【００８９】
また、薄肉部２１２は、長手方向Ｌの厚みが、底面部２１における他の部分よりも薄く構成されていることにより、底面部２１における薄肉部２１２と他の部分（外縁部２１１）とを同一部材で構成しながら、薄肉部２１２の変形性を向上させることができる。  
すなわち、複数の部材を用いることなく、底面部２１における一部分が変形性の高い大径筒部２０を容易に製造することができる。またこれにより、製造コストを削減することができる。
【００９０】
また、底面部２１は、薄肉部２１２と、薄肉部２１２の径外側に設けられ、パネル孔Ｈと嵌合する外縁部２１１とを有し、薄肉部２１２の長手方向Ｌの厚さＬ２が、外縁部２１１における長手方向Ｌの厚さＬ１の６分の１以上、３分の１以下である５分の１とすることにより、大径筒部２０をパネル孔Ｈにより容易に装着できるとともに、パネル孔Ｈに装着された大径筒部２０が意図せずに外れることを防止できる。
【００９１】
詳述すると、薄肉部２１２の厚さＬ２が外縁部２１１の厚さＬ１の６分の１未満である場合、薄肉部２１２の変形性は向上するものの、薄肉部２１２が容易に変形するため、意図しない外力が大径筒部２０に作用した場合に底面部２１が意図せずに変形し、パネル孔Ｈに装着した大径筒部２０が意図せずに外れるおそれがある。
【００９２】
一方で、薄肉部２１２の厚さＬ２が外縁部２１１の厚さＬ１の３分の１よりも大きい場合には、薄肉部２１２の変形性が低減し、薄肉部２１２が容易に変形しなくなる。このため、延出部３０を先端側（＋Ｌ側）に引っ張った場合に、大径筒部２０が長手方向Ｌから視てパネル孔Ｈに挿通できる程度まで縮径されず、パネル孔Ｈに装着するのが困難となる。
【００９３】
しかしながら、薄肉部２１２の厚さが外縁部２１１の厚さＬ１の６分の１以上３分の１以下である５分の１とすることにより、薄肉部２１２の変形性を十分に向上させるとともに、意図しない外力が大径筒部２０に作用した場合でも大径筒部２０の形状を維持することができる。したがって、大径筒部２０をパネル孔Ｈにより容易に装着できるとともに、パネル孔Ｈに装着された大径筒部２０が意図せずに取り外されることを確実に防止できる。
【００９４】
また、大径筒部２０は、薄肉部２１２と、底面部２１の径外側に設けられた外縁部２１１とで構成された底面部２１と、外縁部２１１から先端側（＋Ｌ側）に突出しているとともに、先端側（＋Ｌ側）に向かうに伴い、長手方向Ｌから視て薄肉部２１２と重なる位置まで縮径する縮径部２２とを有し、縮径部２２から延出部３０が延出していることにより、延出部３０に対して先端側（＋Ｌ側）へ第二引張力Ｆ２を作用させた場合に、外縁部２１１に対して径内側に力が作用することとなる。
【００９５】
このため、外縁部２１１の内側に設けられた薄肉部２１２をより変形させることができ、底面部２１をより確実に縮径させることができる。したって、確実かつ容易に大径筒部２０をパネル孔Ｈに装着でき、グロメット１の装着作業性を向上させることができる。
【００９６】
また、小径筒部１０は、底面部２１を貫通した貫通部位における径方向の厚みが、貫通部位よりも先端側（＋Ｌ側）における径方向の厚みよりも厚く構成されることにより、薄肉部２１２を貫通する小径筒部１０における貫通部位の変形性を低下させることができる。これにより、小径筒部１０における前記貫通部位が変形せずに薄肉部２１２を支持するため、薄肉部２１２がより変形しやすくなり、大径筒部２０をより容易にパネル孔Ｈに装着することができる。
【００９７】
また、先端側（＋Ｌ側）の端部の厚みが基端側に比べて薄く構成されている小径筒部１０は、先端部側が変形しやすく構成されているため、例えば小径筒部１０に挿通させるワイヤーハーネスＷＨが湾曲した場合などに、小径筒部１０がワイヤーハーネスＷＨの湾曲を追従し、ワイヤーハーネスＷＨにより作用する外力を緩衝することができる。したがって、ワイヤーハーネスＷＨが小径筒部１０の内周面に当たった場合であっても薄肉部２１２が変形することを防止できる。
【００９８】
さらにまた、延出部３０と小径筒部１０との間隔が、所定の間隔で維持されるように構成されていることにより、延出部３０を確実に把持することができるため、グロメット１の装着作業をより容易かつ確実に行うことができる。
【００９９】
また、延出部３０が、小径筒部１０を挟んで２つ設けられていることにより、パネル孔Ｈに対する大径筒部２０の装着作業性をより向上させるとともに、大径筒部２０の装着を確実に行うことができる。
【０１００】
詳述すると、図５及び図６に示すように、大径筒部２０の一部をパネル孔Ｈに係止させて延出部３０を引っ張り込む場合に、延出部３０のうち係止させた側（延出部３０ｄ）を把持して固定しながら、他方（延出部３０ｕ）を引っ張って大径筒部２０をパネル孔Ｈに装着することができるため、他方（延出部３０ｕ）を確実に枢動させることができ、パネル孔Ｈに対する大径筒部２０の装着作業性をより向上させることができる。
【０１０１】
また、延出部３０ｄを把持して固定することができるため、グロメット１の装着作業中において、大径筒部２０が長手方向Ｌを回転軸として軸回転することを防止できるため、パネル孔Ｈに対して確実に大径筒部２０を装着させることができる。
【０１０２】
また、延出部３０の先端側（＋Ｌ側）に滑り止め部３２が設けられることにより、延出部３０をより確実に把持することができるため、延出部３０の長手方向Ｌ外側をより確実に先端側（＋Ｌ側）へ引っ張ることができる。したがって、パネル孔Ｈにグロメット１を装着させる装着作業性を向上させることができる。
【０１０３】
さらにまた、延出部３０は、長手方向Ｌから視て、底面部２１を貫通する小径筒部１０に沿って円弧状に形成されることにより、例えば作業者の親指を小径筒部１０と延出部３０との間に挿入させるとともに、延出部３０の円弧に沿って作業者の人差し指を這わせることができ、延出部３０を力強く把持することができる。これにより確実に延出部３０を先端側（＋Ｌ側）へ引っ張ることができ、より確実かつ容易にグロメット１をパネル孔Ｈに装着させることができる。
【０１０４】
この発明の構成と、上述の実施形態との対応において、
変形部は、薄肉部２１２に対応し、
挿通方向は、長手方向Ｌに対応し、
開口側は、先端側（＋Ｌ側）に対応し、
滑り止め手段は、滑り止め部３２に対応するが、
この発明は、上述の実施形態の構成のみに限定されるものではなく、多くの実施の形態を得ることができる。
【０１０５】
例えば、本実施形態において、底面部２１における基端側（−Ｌ側）及び薄肉部２１２は、平面状に形成されているが、必ずしも平面状である必要はなく、例えば一部分が曲面状に形成されていてもよい。しかしながら、底面部２１における基端側が平面状に形成されることにより、グロメット１の装着状態において底面部２１又は薄肉部２１２が突っ張りとして機能するため、より好ましい。
【０１０６】
また、薄肉部２１２は、底面部２１における他の部分である外縁部２１１に比べて長手方向Ｌに沿った厚みが薄くなるように形成されているが、必ずしもこの構成である必要はなく、例えば図７に示すように薄肉部２１２の先端側（＋Ｌ側）に先端筒部１２の外周面に沿った凹状の溝部２１２ａを形成することにより変形性を向上させている場合や、外縁部２１１よりも剛性が低い部材で構成されることで変形性を向上させている場合、外縁部２１１よりも剛性が高い部材で構成しつつ、形状により変形性を向上させている場合などでもよい。  
なお、先端筒部１２の外周面に沿った溝部２１２ａは一つである必要はなく複数形成されていてもよい。
【０１０７】
なお、本実施形態において底面部２１は外縁部２１１と薄肉部２１２とで構成されているが、例えば薄肉部２１２と先端筒部１２との間に、薄肉部２１２よりも板厚の厚い部位を設けた場合や、外縁部２１１と薄肉部２１２との間に板厚の厚い部位を設ける場合などでもよい。さらにまた、薄肉部２１２と縮径部２２とで大径筒部２０をパネル孔形成枠Ｐ１に嵌合し、嵌合状態を維持できるのであれば底面部２１は薄肉部２１２で構成されていてもよい。
【０１０８】
また本実施形態において延出部３０は、長手方向Ｌから視て小径筒部１０の周方向に沿って部分的又は全周にわたって円弧状に形成されているが、必ずしもこの形状である必要はなく、長手方向Ｌから視て小径筒部１０の接線方向に沿って直線状に形成されている場合や、長手方向Ｌから視て小径筒部１０の径方向に沿って直線状に形成されている場合でもよい（図８参照）。
【０１０９】
なお、延出部３０は先端縮径部２２３から先端側（＋Ｌ側）に向けて延出しているが、例えば薄肉部２１２や、薄肉部２１２の径外側に形成されている外縁部２１１、底面部２１における薄肉部２１２以外の部位などから先端側（＋Ｌ側）に向けて延出してもよい。
【０１１０】
また、本実施形態において、薄肉部２１２は小径筒部１０の外周全周を囲むように構成されているが、必ずしも小径筒部１０の外周全周を囲む必要はなく、例えば小径筒部１０の外周全周の大部分を囲む構成でもよく、また第二引張力Ｆ２を作用させる側における小径筒部１０の外周の少なくとも半分以上（図中における上方側半分以上）を囲む構成でもよい。
【０１１１】
さらにまた、薄肉部２１２を貫通する小径筒部１０の径方向の厚みは、先端側（＋Ｌ側）に向かうに伴い連続的に薄くなる構成としているが、例えば小径筒部１０の基端側（−Ｌ側）から先端側（＋Ｌ側）に向かうに伴い小径筒部の径方向の厚みが段階的に薄くなる構成としてよい。
【０１１２】
さらにまた、本実施形態において、延出部３０と先端筒部１２との間隔が、所定の間隔を維持するように構成されているが、必ずしもこの構成である必要はなく、延出部３０が先端筒部１２に対して先端側（＋Ｌ側）に向かうに伴い広がるように構成されてもよい。これにより、より延出部３０を把持しやすい構成とすることができる。
【０１１３】
また、本実施形態において、滑り止め部３２は、延出部３０の先端側が凹凸形状で形成されている構成であるが、必ずしもこの構成である必要はなく、延出部３０を把持した作業者の手が滑ることを防止出来ればどのような構成でもよく、例えば、延出部３０の先端側端部が径内側及び外側に突出しており作業者の指を引掛けることができる構成や、延出部３０の先端側に滑り止め材が塗布されている構成などであってもよい。  
なお、上述の構成は、相互に矛盾がなく、本願発明の効果を奏する限り適宜組み合わせることができる。
【０１１４】
１      グロメット
１０    小径筒部
１１    グロメット本体
１２    先端筒部
１３    基端筒部
２０    大径筒部
２１    底面部
２２    縮径部
２１１  外縁部
２１２  薄肉部
３０    延出部
３２    滑り止め部
Ｌ      長手方向
Ｐ      車体パネル
Ｈ      パネル孔
ＷＨ    ワイヤーハーネス
【図１】
2019209854.tif 000003
【図２】
2019209854.tif 000004
【図３】
2019209854.tif 000005
【図４】
2019209854.tif 000006
【図５】
2019209854.tif 000007
【図６】
2019209854.tif 000008
【図７】
2019209854.tif 000009
【図８】
2019209854.tif 000010